(57)【要約】【課題】目の疲労感を減らすと同時に、洗練されたデザインを付与することができるLEDスタンドを提供する。【解決手段】本発明のLEDスタンドは、受け台上にポールを介してランプユニットを設置して作業面を照明するLEDスタンドである。ランプユニットは、上部ランプカバーと、上部ランプカバーと組み立てられた状態でポールの上端に連結され、断面上には貫通孔が形成される下部ランプカバーと、上部ランプカバーの内側に設置され、両側端に沿って下向きに突出する装着端が延長形成されるヒートシンクと、一面に反射テープが付着された状態で、ヒートシンクの下面に配置される一定厚さの導光板と、ヒートシンクの両側の装着端の内面に付着され、導光板の両側面に光源である複数個のLEDランプが対応するようにLEDランプが装着されるLED基板と、を含む。【選択図】図１
2010182660.tif 000002
【特許請求の範囲】
【請求項１】
受け台上にポールを介してランプユニットを設置して作業面を照明するLEDスタンドにおいて、
前記ランプユニットは、
上部ランプカバーと、
前記上部ランプカバーと組み立てられた状態で前記ポールの上端に連結され、断面上には貫通孔が形成される下部ランプカバーと、
前記上部ランプカバーの内側に設置され、両側端に沿って下向きに突出する装着端が延長形成されるヒートシンクと、
一面に反射テープが付着された状態で、前記ヒートシンクの下面に配置される一定厚さの導光板と、
前記ヒートシンクの両側の装着端の内面に付着され、前記導光板の両側面に光源である複数個のLEDランプが対応するように前記LEDランプが装着されるLED基板と、
を含むことを特徴とするLEDスタンド。
【請求項２】
前記下部ランプカバーの貫通孔に対応して設置される保護シートと、
前記導光板の下方に設置されて前記LEDランプの光を屈折分散させるプリズムシートと、
をさらに含むことを特徴とする請求項１に記載のLEDスタンド。
【請求項３】
前記導光板は、矩形のアクリル板材から成り、前記導光板の一面には塗料でシルクスクリーン印刷処理され、その印刷面に反射テープが接着剤により接着されることを特徴とする請求項１に記載のLEDスタンド。
【請求項４】
前記LEDランプは、制御部により点灯される色温度及び色相量の調整が可能な所定個数の赤色、緑色、青色、白色のLED素子から構成されることを特徴とする請求項１乃至請求項３のいずれか一つに記載のLEDスタンド。
【請求項５】
前記ランプユニットと前記ポールとはティルティングピボット手段を介して2関節構造で連結され、前記ポールと前記受け台とは回転ピボット手段を介して2関節構造で連結されることを特徴とする請求項１乃至請求項３のいずれか一つに記載のLEDスタンド。
【請求項６】
前記上部ランプカバーの後方中央には上部ティルティングブッシュ溝が形成され、
前記下部ランプカバーの後方中央には前記上部ティルティングブッシュ溝に対応して下部ティルティングブッシュ溝が形成され、
前記ティルティングピボット手段は、
前記ポールの上部に挿入されて締結され、上端中央にはピボットリングが形成される上部ピボット体と、
前記ピボットリングの両側に対応するように後方両側にそれぞれ上部ピボットハウジングが形成され、前方中央には下部ティルティング溝が形成される下部ピボットケースと、
前記下部ピボットケースの上部に締結され、前方中央には前記下部ティルティング溝に対応する上部ティルティング溝が形成された上部ピボットケースと、
前記両側の上部ピボットハウジングと前記ピボットリングとに通され嵌められて反対側の上部ピボットナットと締結され、前記下部ピボットケースと前記上部ピボット体とをヒンジ締結する上部ピボットスクリューと、
前記上・下部のティルティング溝に一側が設置され、他側は前記上・下部のランプカバーに形成された上・下部のティルティングブッシュ溝に設置され、前記上・下部のピボットケースに対して前記上・下部のランプカバーを回転可能に設置するティルティングブッシュと、
を有することを特徴とする請求項５に記載のLEDスタンド。
【請求項７】
前記回転ピボット手段は、
前記ポールの下部に挿入されて締結され、下端中央にはピボットリングが形成される下部ピボット体と、
前記ピボットリングの両側に対応するように上部両側にそれぞれ下部ピボットハウジングが形成されて前記受け台の上部受けカバーの外部の一側に配置される回転体と、
前記上部受けカバーの内部で前記回転体に対応して回転可能に設置され、その回転中心に前記回転体が締結される回転ブッシュと、
前記両側の下部ピボットハウジングと前記ピボットリングとに通され嵌められて反対側の下部ピボットナットと締結され、前記回転体と前記下部ピボット体とをヒンジ締結する下部ピボットスクリューと、
前記ピボットリングの内側で前記下部ピボットスクリューが通されて設置され、一端は前記下部ピボット体の内側に配置され、他端は前記回転体の一側に支持されて前記ポールに復元支持力を提供するトーションスプリングと、
を有することを特徴とする請求項５に記載のLEDスタンド。
【発明の詳細な説明】
【技術分野】
【０００１】
本発明は、LED（発光ダイオード）スタンドに関するものであって、さらに詳細には、一定厚さの導光板を上・下部のランプカバーの内部に配置し、前記導光板の両側面には複数個のLEDランプを装着したLED基板を配置してランプユニットを形成することにより、前記導光板により間接照明を具現して目の疲労感を減らすと同時に、ランプユニットの厚さをスリムにして洗練されたデザインを提供することができるようにするLEDスタンドに関する。
【背景技術】
【０００２】
一般的に、電気スタンドは、事務室や家庭などで制限された領域を明るく照明するために使われるもので、主に精密作業用や学習用に広く使われている。
従来の電気スタンドには、白熱ランプや蛍光ランプが主に用いられたが、最近は環境にやさしく自然光とほぼ同一水準の光量を提供し、かつ低い消費電力と長時間の使用を可能にする三波長(RGB)ランプが開発され適用されている（特許文献１）。
【０００３】
このような従来の電気スタンドは、使用者の視力保護及びその他の目的のために制限された領域を単純に照明する機能のみが提供されており、多様性を要求する消費者の購買欲求を満たすには限界がある。
【０００４】
最近では、電気スタンドをLEDスタンドに改良して太陽光により近く、様々な色相のLEDを光源として適用することにより多様な雰囲気を演出することができ、同時に、光の強さを自由に調節することもでき、電磁波の影響を受けない上に節電効果もある新しい概念のスタンドが研究開発されている傾向にある。
【０００５】
しかしながら、従来のLEDスタンドは、光源である複数個のLEDランプを装着したLED基板がランプカバーの内部に設置されて保護ガラスを通じて照射される直接照明(direct lighting)方式であって、光源からの光がほとんど作業面に直接照射されるので、少ない電力で高い照度を得ることはできるが、部屋全体に均一な照度を得ることが難しく、眩しさが生じやすく、光による影が強く現われるとの問題点がある。
【０００６】
さらに、従来のLEDスタンドは、LEDランプがLED基板を通じてランプカバーの内部に直接照明方式で設置されるので、ランプユニットの厚さが必要以上に厚く製作され、洗練されたデザインに限界があるとの問題点もあった。
【０００７】
また、従来のLEDスタンドは、受け台にポールを介して設置されるランプユニットが3関節以下の構造で適用されており、ランプユニットの多様な位置制御が困難であるとの問題点も抱えている。
【先行技術文献】
【特許文献】
【０００８】
【特許文献１】特開平６−７６９５８号公報
【発明の概要】
【発明が解決しようとする課題】
【０００９】
したがって、本発明は、前述のような従来の技術が有している問題点等を解消するために案出されたものであって、本発明の目的は、一面に反射テープが付着された一定厚さの導光板を上・下部のランプカバーの内部に配置し、複数個のLEDランプを装着したLED基板を前記導光板の両側面に対応するように配置してランプユニットを形成することにより、前記導光板による間接照明を具現して目の疲労感を減らすと同時に、ランプユニットの厚さを最小化して洗練されたデザインを付与することができるようにするLEDスタンドを提供することである。
【００１０】
本発明のさらなる目的は、前記ランプユニットを受け台にポールを介して設置するが、前記ランプユニットと前記ポールとの間には、ティルティングピボット(tilting pivot)手段を通じて2関節構造を適用し、前記ポールと前記受け台との間には、回転ピボット手段を通じて2関節構造を適用することにより、ランプユニットの多様な位置制御を容易に成し遂げられるLEDスタンドを提供することである。
【課題を解決するための手段】
【００１１】
上記課題を解決するために、本発明のLEDスタンドは、受け台上にポールを介してランプユニットを設置して作業面を照明するLEDスタンドにおいて、
前記ランプユニットは、上部ランプカバーと、前記上部ランプカバーと組み立てられた状態で前記ポールの上端に連結され、断面上には貫通孔が形成される下部ランプカバーと、前記上部ランプカバーの内側に設置され、両側端に沿って下向きに突出する装着端が延長形成されるヒートシンク(heat sink)と、一面に反射テープが付着された状態で、前記ヒートシンクの下面に配置される一定厚さの導光板と、前記ヒートシンクの両側の装着端の内面に付着され、前記導光板の両側面に光源である複数個のLEDランプが対応するように前記LEDランプが装着されるLED基板と、を含む。
【００１２】
前記LEDスタンドはさらに、前記下部ランプカバーの貫通孔に対応して設置される保護シートと、前記導光板の下方に設置されて前記LEDランプの光を屈折分散させるプリズムシートと、を含む。
【００１３】
前記導光板は、矩形のアクリル板材から成り、前記導光板の一面には塗料でシルクスクリーン印刷処理され、その印刷面に反射テープが接着剤により接着される。
【００１４】
前記LEDランプは、制御部により点灯される色温度及び色相量の調整が可能な所定個数の赤色、緑色、青色、白色のLED素子から構成される。
【００１５】
前記ランプユニットと前記ポールとはティルティングピボット手段を介して2関節構造で連結され、前記ポールと前記受け台とは回転ピボット手段を介して2関節構造で連結される。
【００１６】
さらに、前記上部ランプカバーの後方中央には上部ティルティングブッシュ(tilting bush)溝が形成され、前記下部ランプカバーの後方中央には前記上部ティルティングブッシュ溝に対応して下部ティルティングブッシュ溝が形成され、前記ティルティングピボット手段は、前記ポールの上部に挿入されて締結され、上端中央にはピボットリングが形成される上部ピボット体と、前記ピボットリングの両側に対応するように後方両側にそれぞれ上部ピボットハウジングが形成され、前方中央には下部ティルティング溝が形成される下部ピボットケースと、前記下部ピボットケースの上部に締結され、前方中央には前記下部ティルティング溝に対応する上部ティルティング溝が形成された上部ピボットケースと、前記両側の上部ピボットハウジングと前記ピボットリングとに通され嵌められて反対側の上部ピボットナットと締結され、前記下部ピボットケースと前記上部ピボット体とをヒンジ締結する上部ピボットスクリューと、前記上・下部のティルティング溝に一側が設置され、他側は前記上・下部のランプカバーに形成された上・下部のティルティングブッシュ溝に設置され、前記上・下部のピボットケースに対して前記上・下部のランプカバーを回転可能に設置するティルティングブッシュと、を有する。
【００１７】
さらに、前記回転ピボット手段は、前記ポールの下部に挿入されて締結され、下端中央にはピボットリングが形成される下部ピボット体と、前記ピボットリングの両側に対応するように上部両側にそれぞれ下部ピボットハウジングが形成されて前記受け台の上部受けカバーの外部の一側に配置される回転体と、前記上部受けカバーの内部で前記回転体に対応して回転可能に設置され、その回転中心に前記回転体が締結される回転ブッシュと、前記両側の下部ピボットハウジングと前記ピボットリングとに通され嵌められて反対側の下部ピボットナットと締結され、前記回転体と前記下部ピボット体とをヒンジ締結する下部ピボットスクリューと、前記ピボットリングの内側で前記下部ピボットスクリューが通されて設置され、一端は前記下部ピボット体の内側に配置され、他端は前記回転体の一側に支持されて前記ポールに復元支持力を提供するトーションスプリングと、を有する。
【発明の効果】
【００１８】
前述のような本発明のLEDスタンドによれば、ランプユニットを構成するにおいて、一面に反射テープが付着された一定厚さの導光板を適用し、複数個のLEDランプを装着したLED基板を前記導光板の両側面に対応するように配置することにより、前記導光板による間接照明を具現して目の疲労感を減らすと同時に、全体的なランプユニットの厚さを最小化して洗練されたスリムタイプのデザインを具現する効果がある。
【００１９】
さらに、ランプユニットとポール、及び受け台とポールをそれぞれ連結する手段として、ティルティングピボット手段と回転ピボット手段を適用することにより、総4関節構造を成し、ランプユニットの位置操作において様々な角度で広範囲に調節することが可能であり、これにより、使用者の多様な欲求を充足させる雰囲気を演出することが可能な効果がある。
【図面の簡単な説明】
【００２０】
【図１】本発明の実施形態に係るLEDスタンドの組立て斜視図である。
【図２】本発明の実施形態に係るLEDスタンドに適用されるランプユニットの分解斜視図である。
【図３】本発明の実施形態に係るLEDスタンドに適用されるティルティングピボット手段の分解斜視図である。
【図４】本発明の実施形態に係るLEDスタンドに適用される回転ピボット手段の分解斜視図である。
【図５】本発明の実施形態に係るLEDスタンドに適用される受け台の分解斜視図である。
【図６】本発明の実施形態に係るLEDスタンドに適用される導光板の部分拡大断面図である。
【発明を実施するための形態】
【００２１】
以下、本発明の好ましい実施形態を添付した図面を参照して、詳細に説明する。
図1は、本発明の実施形態に係るLEDスタンドの組立て斜視図であり、図2は、本発明の実施形態に係るLEDスタンドに適用されるランプユニットの分解斜視図である。
そして、図3と図4は、本発明の実施形態に係るLEDスタンドに適用されるティルティングピボット手段と回転ピボット手段の分解斜視図であり、図5は、本発明の実施形態によるLEDスタンドに適用される受け台の分解斜視図である。
【００２２】
本実施形態に係るLEDスタンド1は、図1で示したように、基本的に受け台3とポール5及びランプユニット7から構成される。すなわち、前記受け台3上にポール5を介してランプユニット7が設置されて、作業面を照らすように構成される。
【００２３】
先ず、前記受け台3は、図5で示したように、上部受けカバー11と下部受けカバー13から構成されて互いに組み立てられ、上部及び下部受けカバー11、13の内部には、回路基板15(PCB)等と受けプレート17等が内在されて共に組み立てられる。
【００２４】
さらに、前記上部受けカバー11の外部面には、図4で示したように、前記一つの回路基板15に対応してディスプレイウインドー19が付着される。
そして、前記のポール5は、図3で示したように、中空の四角管材で形成され、内部を通してワイヤ(図示せず)を設置するように形成される。
【００２５】
前記ランプユニット7は、図2で示したように、上部ランプカバー21と下部ランプカバー23が具備される。
前記上部ランプカバー21は、その断面上に長手方向に沿って複数個の放熱口25が形成され、後方中央には上部ティルティングブッシュ溝27が形成される。
そして、前記下部ランプカバー23は、前記上部ランプカバー21と組み立てられた状態で前記ポール5の上端部に連結されるが、その断面上には四角の貫通孔29が形成され、その後方中央には前記上部ティルティングブッシュ溝27に対応して下部ティルティングブッシュ溝31が形成される。
【００２６】
このような上部及び下部ランプカバー21、23の内部には、ヒートシンク33、導光板35、LED基板37等が設置されるが、先ず、前記ヒートシンク33は、アルミニウム素材の四角放熱板であって、その両側端に沿って下向きに突出する装着端39が延長形成される。
そして、前記導光板35は、その上面に反射テープ41が付着された状態で前記ヒートシンク33の下面に接触された状態で配置される。
【００２７】
このような導光板35は、一定厚さを有する矩形の透明なアクリル板材から成る。
すなわち、図6で示したように、導光板35は、その一面に白色塗料でシルクスクリーン印刷処理され、その印刷面に前記反射テープ41が接着剤P2により接着される。
【００２８】
このように、前記導光板35上にシルクスクリーン印刷により白色塗料層P1をプリンティングすることにより、前記導光板35上に反射テープ41を接着した場合、微細に発生しうる空気層により光が散乱し、その部分で光が特に暗く見える現象を防止することになる。
もちろん、前記反射テープ41もその色相が前記白色塗料層P1と同様の白色であり、前記接着剤P2は透明であることが好ましい。
【００２９】
前記LED基板37は、その長手方向に沿って光源である複数個のLEDランプ43が装着されて構成され、前記ヒートシンク33の両側の装着端39の内面に耐熱性テープ45を介してそれぞれ付着される。この時、前記各LEDランプ43は前記導光板35の両側面に対応するように付着される。
【００３０】
ここで、前記LEDランプ43は図示しない制御部により点灯される色温度及び色相量の調整が可能な所定個数の赤色、緑色、青色、白色のLED素子等から構成される。
【００３１】
すなわち、前記の各赤色、緑色、青色のLED素子らは、図示しない制御部のモード制御により印加されるPWM(Pulse Width Modulation)信号に応じて点灯され色温度を調整することとなり、前記白色のLED素子は前記制御部のモード制御により印加されるPWM制御信号に応じて点灯され照明の明るさを調整して、学習モード、感性モード、ムードモード等のモード別照明を具現することとなる。
【００３２】
そして、前記下部ランプカバー23の貫通孔29に対応して保護シート47が設置され、前記導光板35と前記保護シート47との間には、前記LEDランプ43の光を屈折分散させるためのプリズムシート49が介在される。
【００３３】
一方、前記したランプユニット7と前記ポール5とは、ティルティングピボット手段8により2関節構造で連結され、前記ポール5と前記受け台3とは回転ピボット手段9により2関節構造で連結され、総4関節構造のスタンドを具現することになる。
【００３４】
ここで、前記ティルティングピボット手段8は、図3で示したように、前記ポール5の上部に上部ピボット体51が挿入されて締結される。前記上部ピボット体51は、その上端中央にピボットリング53が一体に形成され、中空に形成される。
【００３５】
前記上部ピボット体51には、上部及び下部ピボットケース55、57が上部ピボットスクリュー59を介して連結されるが、前記下部ピボットケース57には前記ピボットリング53の両側に対応するように後方両側にそれぞれ上部ピボットハウジング61が形成され、その前方中央には下部ティルティング溝63が形成される。
【００３６】
さらに、前記上部ピボットケース55は前記下部ピボットケース57の上部に締結され、その前方中央には前記下部ティルティング溝63に対応する上部ティルティング溝65が形成される。
【００３７】
すなわち、前記上部ピボットケース55と組み立てられた下部ピボットケース57の両側の上部ピボットハウジング61を前記上部ピボット体51のピボットリング53にワッシャーWを介在して嵌合した状態で、前記上部ピボットスクリュー59を前記両側の上部ピボットハウジング61と前記ピボットリング53とに通してはめ込んで反対側の上部ピボットナット67と締結して、前記下部ピボットケース57と前記上部ピボット体51とをヒンジ締結することになる。
【００３８】
この時、上部及び下部ピボットケース55、57の各上部及び下部ティルティング溝63、65には、ティルティングブッシュ69がその一側により設置され、このティルティングブッシュ69の他側は上部及び下部のランプカバー21、23に形成される上部及び下部ティルティングブッシュ溝27、31に設置され、上部及び下部ピボットケース55、57に対して上部及び下部ランプカバー21、23を回転可能に設置することとなる。
【００３９】
これにより、前記ランプユニット7はティルティングピボット手段8により前記ポール5の上端に設置された状態で、前記ポール5に対して一方向のヒンジ作動と自体回転方向にティルティング作動が可能な2関節構造を成すこととなる。
【００４０】
一方、前記回転ピボット手段9は、図4で示したように、前記ポール5の下部に下部ピボット体71が挿入されて締結される。前記下部ピボット体71はその下端中央にピボットリング73が一体に形成され、やはり、中空で形成される。
【００４１】
前記下部ピボット体71には、下部ピボットスクリュー75を介して回転体77が連結されるが、前記回転体77には、前記ピボットリング73の両側に対応するように上部両側にそれぞれ下部ピボットハウジング79が形成されて前記上部受けカバー11の外部一側に設置口85を通じて回転可能に設置される。
【００４２】
すなわち、前記回転体77の上部両側に形成された下部ピボットハウジング79を前記下部ピボット体71のピボットリング73にワッシャーWを介在して嵌合した状態で、前記下部ピボットスクリュー75を前記両側の下部ピボットハウジング79と前記ピボットリング73とに通してはめ込んで反対側の下部ピボットナット81と締結して、前記回転体77と前記下部ピボット体71をヒンジ締結することとなる。
【００４３】
この時、前記ピボットリング73の内側にはトーションスプリングSが介在されて前記下部ピボットスクリュー75を介して設置され、前記トーションスプリングSはその一端が前記下部ピボット体71の中空部の内側に配置され、その他端は前記回転体77の一側に支持されて前記ポール5に復元支持力を提供することになる。
【００４４】
そして、前記回転体77は、図5で示したように、前記上部受けカバー11の内部で前記設置口85にて回転可能に設置される回転ブッシュ83に締結されるが、前記回転体77は、前記回転ブッシュ83の回転中心に締結され回転ブッシュ83とともに上部受けカバー11の外部一側に回転可能に作動することとなる。
この時、前記回転体77と前記上部受けカバー11との間にはワッシャーWを介在させる。
【００４５】
これにより、前記ポール5は、回転ピボット手段9により前記受け台3上に設置された状態で、前記受け台3に対してポール5を一方向のヒンジ作動と自体回転方向に回転操作が可能な2関節構造を成すこととなる。
【００４６】
したがって、前記のような構成を有するLEDスタンド1は、そのランプユニット7を構成するにおいて、一面に反射テープ41が付着された導光板35の両側面に対応してその長手方向に沿って様々な色相のLEDランプ43を配置した状態で、光源を導光板35の両側面を通じて間接的に照明することにより、光源が使用者の視野に直接露出されないようにして眩しさの防止と視力保護及び学習能率向上の効果を提供する。
【００４７】
特に、様々な色相のLEDランプ43を光源に適用して色温度及び明るさの調節を通じて能率が向上される多様な学習モードを提供し、多様な色彩の感性照明により心理的安定を提供することもできる。
【００４８】
さらに、前記LEDランプ43を導光板35の両側方に配置することにより、全体的なランプユニット7の厚さを減らして洗練されたスリムタイプのデザインを提供する。
【００４９】
そして、前記ランプユニット7は、ティルティングピボット手段8を介してポール5に設置されて2関節構造を成し、前記ポール5は回転ピボット手段9を介して受け台3上に設置されて同様に2関節構造を成すことにより、使用者がランプユニット7の位置を広範囲な角度に調節することが可能となり、多様な角度で作業場の雰囲気を演出することができる。
【００５０】
すなわち、前記ランプユニット7は、ティルティングピボット手段8により前記ポール5に対して前後方向にヒンジ作動が可能であると同時に、ティルティングブッシュ69により自体回転方向にティルティング作動することが可能であり、前記ポール5は回転ピボット手段9により前記受け台3に対してポール5を前後方向にヒンジ作動することが可能であると同時に、自体回転方向に回転操作が可能である。
【００５１】
以上においては、特定の例を挙げて説明したが、本発明は上記実施形態に限られることはなく、当該分野の通常の知識を有した者により多くの変形が、添付の特許請求の範囲に記載の本発明の本質的な思想内で可能であることは言うまでもない。
【符号の説明】
【００５２】
1  LEDスタンド
3  受け台
5  ポール
7  ランプユニット
8  ティルティングピボット手段
9  回転ピボット手段
11、13  受けカバー
15  回路基板
17  受けプレート
21、23  ランプカバー
25  放熱口
27、31  ティルティングブッシュ溝
29  貫通孔
33  ヒートシンク
35  導光板
37  LED基板
41  反射テープ
43  LEDランプ
47  保護シート
51、71  ピボット体
53、73  ピボットリング
55、57  ピボットケース
59、75  ピボットスクリュー
61、79  ピボットハウジング
69  ティルティングブッシュ
77  回転体
【図１】
2010182660.tif 000003
【図２】
2010182660.tif 000004
【図３】
2010182660.tif 000005
【図４】
2010182660.tif 000006
【図５】
2010182660.tif 000007
【図６】
2010182660.tif 000008